(57)【要約】【課題】複数の照明機器の接続状況の確認を容易化すること。【解決手段】実施形態に係る調光装置は、直流電圧の電圧値に応じた調光度で点灯する複数の照明機器に対して前記直流電圧を配線を介して供給する調光装置であって、検出部と、比較部と、出力部とを具備する。検出部は、配線に流れる電流を検出する。比較部は、検出部によって検出された電流に基づく検出値を基準値と比較する。出力部は、比較部による比較結果を出力する。【選択図】図３
2020053350.tif 000002
【特許請求の範囲】
【請求項１】
直流電圧の電圧値に応じた調光度で点灯する複数の照明機器に対して前記直流電圧を配線を介して供給する調光装置であって、
前記配線に流れる電流を検出する検出部と；
前記検出部によって検出された電流に基づく検出値を基準値と比較する比較部と；
前記比較部による比較結果を出力する出力部と；
を具備することを特徴とする調光装置。
【請求項２】
前記基準値は、前記複数の照明機器の個数と１個あたりの消費電流とに基づいて決定される
ことを特徴とする請求項１に記載の調光装置。
【請求項３】
情報を表示する表示部；
を具備し、
前記出力部は、前記比較結果を前記表示部に出力する
ことを特徴とする請求項１または２に記載の調光装置。
【請求項４】
前記出力部は、前記検出値の前記基準値に対する割合が閾値以下である場合に、アラーム信号を出力する
ことを特徴とする請求項１〜３のいずれか一つに記載の調光装置。
【請求項５】
前記複数の照明機器の接続状況を確認する状況確認モードに移行した場合に、予め決められた電圧値の前記直流電圧を前記配線に印加する印加部；
を具備し、
前記比較部は、
前記印加部によって前記予め決められた電圧値の前記直流電圧が前記配線に印加された場合における前記検出値を前記基準値と比較する
ことを特徴とする請求項１〜４のいずれか一つに記載の調光装置。
【請求項６】
前記予め決められた電圧値は、前記複数の照明機器を１００％の調光度で点灯させる電圧値である
ことを特徴とする請求項５に記載の調光装置。
【発明の詳細な説明】
【技術分野】
【０００１】
本発明の実施形態は、調光装置に関する。
【背景技術】
【０００２】
従来、ＬＥＤ（Light  Emitting  Diode）照明に対して直流電圧を供給することによってＬＥＤ照明の駆動および調光を行う調光装置が知られている。
【先行技術文献】
【特許文献】
【０００３】
【特許文献１】特許第５０５８７７８号公報
【発明の概要】
【発明が解決しようとする課題】
【０００４】
たとえば劇場等の施設では、既に設置されている白熱電球等の照明機器をＬＥＤ照明に入れ替える作業が行われる場合がある。このような場合、施工業者等は、入れ替え作業の終了後、ＬＥＤ照明を点灯させることにより、ＬＥＤ照明の設置忘れがないか、あるいは、断線している箇所がないか等を目視により確認していた。しかしながら、このような確認作業は、施設が大規模になるほど、すなわち、設置するＬＥＤ照明の数が多くなるほど時間や手間がかかってしまう。
【０００５】
本発明が解決しようとする課題は、複数の照明機器の接続状況の確認を容易化することである。
【課題を解決するための手段】
【０００６】
実施形態に係る調光装置は、直流電圧の電圧値に応じた調光度で点灯する複数の照明機器に対して直流電圧を配線を介して供給する調光装置であって、検出部と、比較部と、出力部とを具備する。検出部は、配線に流れる電流を検出する。比較部は、検出部によって検出された電流に基づく検出値を基準値と比較する。出力部は、比較部による比較結果を出力する。
【発明の効果】
【０００７】
本発明によれば、複数の照明機器の接続状況の確認を容易化することができる。
【図面の簡単な説明】
【０００８】
【図１】図１は、実施形態に係る照明システムの概略構成の一例を示す図である。
【図２】図２は、実施形態に係る照明システムの具体的な構成の一例を示す図である。
【図３】図３は、実施形態に係る調光装置が備える制御部の構成の一例を示す図である。
【図４】図４は、実施形態に係る調光装置が実行する状況確認処理の手順の一例を示すフローチャートである。
【発明を実施するための形態】
【０００９】
以下、図面を参照して、実施形態に係る調光装置を説明する。実施形態において同一の機能を有する構成には同一の符号を付し、重複する説明は省略する。なお、以下の実施形態で説明する調光装置は、一例を示すに過ぎず、実施形態を限定するものではない。たとえば、以下の実施形態では、調光装置は、劇場や映画館等といった各種施設に設置されるものとするが、これらの施設以外にも、公民館等の公共機関やビルディング等、任意の施設に設置可能であるものとする。なお、以下の各実施形態は、矛盾しない範囲内で適宜組みあわせてもよい。
【００１０】
以下に説明する実施形態に係る調光装置２０は、直流電圧の電圧値に応じた調光度で点灯する複数の照明機器１００ａ〜１００ｃ（以下、「照明機器１００」と総称する場合がある）に対して直流電圧を配線３０を介して供給する調光装置であって、検出部２５と、比較部２３１と、出力部２３３とを具備する。検出部２５は、配線３０に流れる電流を検出する。比較部２３１は、検出部２５によって検出された電流に基づく検出値（たとえば、検出電圧）を基準値と比較する。出力部２３３は、比較部２３１による比較結果を出力する。
【００１１】
また、以下に説明する実施形態に係る調光装置２０において、基準値は、複数の照明機器１００の個数と１個あたりの消費電流とに基づいて決定される。
【００１２】
また、以下に説明する実施形態に係る調光装置２０は、情報を表示する表示部２６を具備し、出力部２３３は、比較結果を表示部２６に出力する。
【００１３】
また、以下に説明する実施形態に係る調光装置２０において、出力部２３３は、検出値が基準値に対して予め決められた割合以下である場合に、アラーム信号を出力する。
【００１４】
また、以下に説明する実施形態に係る調光装置２０は、複数の照明機器１００の接続状況を確認する状況確認モードに移行した場合に、予め決められた電圧値の直流電圧を配線３０に印加する印加部２２を具備し、比較部２３１は、印加部２２によって予め決められた電圧値の直流電圧が配線３０に印加された場合における検出値を基準値と比較する。
【００１５】
また、以下に説明する実施形態に係る調光装置２０において、予め決められた電圧値は、複数の照明機器１００を１００％の調光度で点灯させる電圧値である。
【００１６】
以下に、本発明に係る実施形態を図面に基づき説明する。なお、以下に示す実施形態は、本発明が開示する技術を限定するものではない。
【００１７】
［実施形態］
＜照明システムの概略について＞
まず、実施形態に係る調光装置を含む照明システムの概略について図１を参照して説明する。図１は、実施形態に係る照明システムの概略構成の一例を示す図である。
【００１８】
図１に示すように、実施形態に係る照明システム１は、照明制御装置１０と、調光装置２０と、配線３０と、複数の照明機器１００ａ〜１００ｃとを含む。
【００１９】
照明制御装置１０は、調光卓や制御卓と呼ばれる装置により実現され、操作者による操作に基づいて照明機器１００の制御を行う。たとえば、照明制御装置１０は、プリセットフェーダやフェーダ、ボタン等の操作部を有し、操作部を介して操作者から照明機器１００の調光度の変更操作を受付けた場合に、変更後の調光度を示す調光信号を照明制御装置１０に出力する。
【００２０】
調光装置２０は、たとえば、照明機器１００から離隔して配置される分電盤等により実現される。調光装置２０は、照明制御装置１０から入力される調光信号に基づいて照明機器１００の調光度を制御する。具体的には、調光装置２０は、調光信号を電圧値に変換し、変換した電圧値の直流電圧を生成して配線３０へ印加する。
【００２１】
照明機器１００は、配線３０を介して供給される直流電圧を駆動源とする照明機器である。照明機器１００は、たとえばＬＥＤ光源を有するＬＥＤ照明であり、配線３０を介して供給される直流電圧を駆動源とし、供給された直流電力の電圧値に応じた調光度でＬＥＤ光源を点灯させる。照明機器１００は、たとえば舞台施設等に設置され、客席、廊下、誘導灯、エントランス等を照明する。
【００２２】
＜照明システムの具体的な構成例について＞
次に、照明システム１の具体的な構成の一例について図２を参照して説明する。図２は、実施形態に係る照明システム１の具体的な構成の一例を示す図である。
【００２３】
まず、照明制御装置１０の構成例について説明する。図２に示すように、照明制御装置１０は、通信部１１と、表示部１２と、制御部１３と、操作部１４とを備える。
【００２４】
通信部１１は、調光装置２０との間における通信インタフェースである。たとえば、通信部１１は、ＤＭＸ端子等を含んで構成され、調光装置２０に対してＤＭＸ信号を出力する。ＤＭＸ信号は、ＤＭＸ規格に準拠した信号であり、調光信号の一例である。なお、通信部１１は、ＤＭＸ信号に代えて、たとえば、ＤＡＬＩ（Digital  Addressable  Lighting  Interface）に準拠した信号を調光信号として出力してもよい。
【００２５】
表示部１２は、調光制御に関する各種の情報を表示するための表示装置であり、たとえば、液晶パネル等により実現される。たとえば、表示部１２は、制御部１３の制御により、照明機器１００の調光度や、照明機器１００とフェーダとの対応等を表示する。
【００２６】
制御部１３は、各種の情報処理を実行する演算装置であり、たとえば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。たとえば、制御部１３は、照明機器１００の調光度を変更する操作が操作部１４に対して行われた場合に、通信部１１を介して、変更後の調光度を示す調光信号を調光装置２０へ出力する。
【００２７】
操作部１４は、たとえば、フェーダ等を含んで構成され、調光度の変更等、照明機器１００に対する制御を受付ける。
【００２８】
つづいて、調光装置２０の構成例について説明する。調光装置２０は、変換部２１と、印加部２２と、制御部２３と、記憶部２４と、検出部２５と、表示部２６と、操作部２７とを備える。
【００２９】
変換部２１は、照明制御装置１０から入力された調光信号を電圧値に変換する。たとえば、変換部２１は、ＤＭＸ−ＰＷＭ変換器と、ＰＷＭ−ＤＣ変換器とを含んで構成される。ＤＭＸ−ＰＷＭ変換器は、照明制御装置１０からＤＭＸ信号が入力された場合に、ＤＭＸ信号が示す調光度に対応する波形のＰＷＭ信号を生成してＰＷＭ−ＤＣ変換器に出力する。ＰＷＭ−ＤＣ変換器は、ＤＭＸ−ＰＷＭ変換器からＰＷＭ信号が入力された場合に、ＰＷＭ信号が示す調光度で照明機器１００を点灯させるための直流電圧を配線３０に印加するよう印加部２２に指示する。たとえば、ＰＷＭ−ＤＣ変換器は、ＰＷＭ信号に対応する電圧値を示すＤＣ信号を生成して印加部２２に出力する。
【００３０】
変換部２１は、上記構成に限定されず、たとえば、照明制御装置１０から入力されたＤＭＸ信号をＤＣ信号に直接変換するＤＭＸ−ＤＣ変換器を含んで構成されてもよい。
【００３１】
印加部２２は、ＤＣ信号によって示される電圧値の直流電圧を生成して配線３０に印加する。たとえば、印加部２２は、整流回路、力率改善回路、平滑回路、電力変換回路等を含んで構成される。
【００３２】
整流回路は、系統電源から供給される交流電圧を整流して、脈流の交流電圧に変換する。たとえば、整流回路は、全波整流回路であり、ダイオードブリッジにより構成される。力率改善回路は、整流回路から出力される脈流の交流電圧を直流電圧に変換して出力する回路であり、たとえば、昇圧電源回路、昇降圧電源回路、降圧電源回路等により実現される。このような力率改善回路は、入力される電流波形の歪を低減し、高調波を抑制することができる。平滑回路は、入力される電流の変動を吸収して、安定した直流電圧を後段の電力変換回路に供給する平滑回路であり、たとえば、電解コンデンサ等といった平滑コンデンサにより実現される。電力変換回路は、平滑回路を介して供給される直流電圧を、変換部２１から入力されるＤＣ信号によって示される電圧値の直流電圧に変換して配線３０に印加する。
【００３３】
制御部２３は、各種の情報処理を実行する演算装置であり、たとえば、ＣＰＵ、ＭＰＵ等の電子回路や、ＡＳＩＣ、ＦＰＧＡ等の集積回路を採用できる。制御部２３は、照明制御装置１０から入力される調光信号に従って複数の照明機器１００の調光を行う調光モードと、複数の照明機器１００の接続状況を確認する状況確認モードとを有する。たとえば、制御部２３は、調光装置２０の電源投入時に状況確認モードに移行してもよい。状況確認モードに移行すると、制御部２３は、複数の照明機器１００の接続状況を確認する状況確認処理を実行する。状況確認処理の内容については後述する。なお、制御部２３は、照明制御装置１０からの指示に従って状況確認モードに移行してもよいし、調光装置２０が備える操作部２７への操作に従って状況確認モードに移行してもよい。
【００３４】
記憶部２４は、たとえば、ＲＡＭ（Random  Access  Memory）、フラッシュメモリ（Flash  Memory）等の半導体メモリ素子、または、ハードディスク、光ディスク等の記憶装置によって実現される。記憶部２４は、たとえば、配線３０に接続される複数の照明機器１００の個数と、照明機器１００の１個あたりの消費電流とを記憶する。
【００３５】
制御部２３は、記憶部２４に記憶された照明機器１００の個数および１個あたりの消費電流の情報に基づき、後述する状況確認処理において用いられる基準値を決定する。たとえば、基準値は、電圧値であり、制御部２３は、たとえば照明機器１００を全光状態（１００％の調光度で点灯させた状態）とした場合における１個あたりの消費電流に対し、照明機器１００の個数と、検出部２５の抵抗値として予め記憶された値とを乗じることにより基準値を決定する。制御部２３は、決定した基準値を記憶部２４に記憶させてもよい。
【００３６】
制御部２３は、たとえば、操作部２７への入力操作に従って、記憶部２４に記憶された照明機器１００の個数および１個あたりの消費電流の情報を変更することができる。これにより、設置される照明機器１００の個数や品種が異なる種々の施設において状況確認処理を適切に実施することができる。
【００３７】
検出部２５は、たとえば検出抵抗器であり、配線３０に流れる電流を電圧として検出する。検出部２５による検出結果（以下、「検出電圧」と記載する）は、制御部２３に入力される。
【００３８】
表示部２６は、制御部２３の制御により各種の情報を表示する。たとえば、表示部２６は、表示部２６は、制御部２３の制御により、検出電圧と基準値との比較結果を表示する。
【００３９】
操作部２７は、たとえばテンキー等の物理ボタンまたはタッチパッド等により実現され、操作者の操作を受け付ける。
【００４０】
つづいて、配線３０の構成例について説明する。配線３０は、調光装置２０から照明機器１００へと直流電力を伝達する配線である。たとえば、配線３０は、照明システム１が設置された施設において、調光装置２０から各照明機器１００が設置されている設置位置まで延伸される電源線と、設置位置から調光装置２０まで戻る電源線とにより実現される。なお、上述した検出部２５は、たとえば、配線３０のうち、設置位置から調光装置２０まで戻る電源線に設けられる。
【００４１】
つづいて、照明機器１００の構成例について説明する。照明機器１００は、受電部１０１と、測定部１０２と、制御部１０３と、光源部１０４とを備える。
【００４２】
受電部１０１は、配線３０を介して供給される直流電力を受電する。測定部１０２は、所定の時間間隔で受電部１０１が受電した直流電圧値を測定する。そして、制御部１０３は、測定部１０２によって測定された直流電圧値に応じた調光度で点灯するように光源部１０４を制御する。光源部１０４は、受電部１０１によって受電された電圧値に基づく直流電圧を用いて点灯するＬＥＤ等の半導体発光素子である。
【００４３】
＜調光装置が備える制御部の構成例について＞
検出部２５によって検出される検出電圧の値は、配線３０に接続されている照明機器１００の個数によって変化する。このため、たとえば、断線などによって配線３０に対して適切に接続されていない照明機器１００や設置し忘れた照明機器１００が存在する場合、検出部２５によって検出される検出電圧が、想定される電圧値からずれることとなる。具体的には、検出部２５によって検出される検出電圧の値は、想定値よりも低くなる。制御部２３は、この現象を利用して、複数の照明機器１００の接続状況を確認する状況確認処理を行う。
【００４４】
かかる制御部２３の構成の一例について図３を参照して説明する。図３は、実施形態に係る調光装置２０が備える制御部２３の構成の一例を示す図である。
【００４５】
図３に示すように、制御部２３は、比較部２３１と、判定部２３２と、出力部２３３とを備える。
【００４６】
比較部２３１は、検出部２５から入力された検出電圧を記憶部２４に記憶された基準値と比較する。具体的には、比較部２３１は、検出電圧の基準値に対する割合を算出し、算出結果を判定部２３２および出力部２３３に出力する。
【００４７】
判定部２３２は、複数の照明機器１００の接続状況が正常か否かを判定する。具体的には、判定部２３２は、比較部２３１による算出結果、すなわち、検出電圧の基準値に対する割合が閾値を超えている場合、複数の照明機器１００の接続状況が正常であると判定する。たとえば、判定部２３２は、検出電圧の値が基準値に対して９割を超えている場合には、複数の照明機器１００の接続状況が正常であると判定し、判定結果を出力部２３３に出力する。一方、検出電圧の基準値に対する割合が閾値以下である場合、制御部２３は、複数の照明機器１００の接続状況が異常であると判定し、判定結果を出力部２３３に出力する。
【００４８】
出力部２３３は、比較部２３１から入力された比較結果を表示部２６に出力する。これにより、表示部２６には、検出電圧と基準値との比較結果、すなわち、基準値に対する検出電圧の割合が表示される。その他、表示部２６には、たとえば、検出電圧や基準値が表示されてもよい。操作者は、表示部２６に表示された比較結果を見ることで、複数の照明機器１００の接続状況、すなわち、どの程度の割合の照明機器１００が配線３０に対して正常に接続されているか（あるいは正常に接続されていないか）を容易に把握することができる。
【００４９】
なお、出力部２３３は、比較部２３１から入力された比較結果を調光装置２０の外部に出力してもよい。たとえば、出力部２３３は、比較結果を照明制御装置１０に出力してもよい。
【００５０】
また、出力部２３３は、判定部２３２から入力された判定結果が異常を示すものであった場合に、アラーム信号を出力する処理も行う。たとえば、出力部２３３は、アラーム信号としての表示制御信号を表示部２６に出力することで、複数の照明機器１００の接続状況が異常であることを表示部２６に対して表示させる。なお、アラーム信号としての表示制御信号は、照明制御装置１０の表示部１２に出力されてもよい。また、出力部２３３は、アラーム信号としての駆動制御信号を調光装置２０が備える図示しない表示灯やスピーカ等に出力することにより、表示灯を点灯させたり、スピーカからアラーム音を出力させたりしてもよい。このように、アラーム信号を出力することで、操作者は、複数の照明機器１００の接続状況に異常があることを容易に把握することができる。
【００５１】
＜状況確認処理の流れの一例＞
次に、調光装置２０が実行する状況確認処理の手順の一例について図４を参照して説明する。図４は、実施形態に係る調光装置２０が実行する状況確認処理の手順の一例を示すフローチャートである。
【００５２】
図４に示すように、調光装置２０は、状況確認モードへ移行するか否かを判定する（ステップＳ１０１）。たとえば、調光装置２０は、調光装置２０の電源が投入された場合に、状況確認モードに移行してもよい。また、制御部２３は、照明制御装置１０の操作部１４または調光装置２０の操作部２７からの指示に従って状況確認モードに移行してもよい。
【００５３】
状況確認モードに移行すると（ステップＳ１０１，Ｙｅｓ）、調光装置２０は、まず、複数の照明機器１００を全光状態とする（ステップＳ１０２）。具体的には、調光装置２０は、複数の照明機器１００を１００％の調光度で点灯させるのに必要な電圧値として予め決められた電圧値の直流電圧を生成して配線３０に印加する。これにより、複数の照明機器１００が全光状態となるため、操作者は、複数の照明機器１００の接続状況を目視にて容易に確認することができる。また、予め決められた電圧値の直流電圧を印加することで、検出電圧と基準値との比較を適切に行うことができる。
【００５４】
つづいて、調光装置２０は、検出部２５から入力された検出電圧を取得し（ステップＳ１０３）、取得した検出電圧を記憶部２４に記憶された基準値と比較する（ステップＳ１０４）。具体的には、調光装置２０は、検出電圧の基準値に対する割合を算出する。
【００５５】
つづいて、調光装置２０は、複数の照明機器１００の接続状況が正常であるか否かを判定する（ステップＳ１０５）。具体的には、調光装置２０は、検出電圧の基準値に対する割合が閾値を超えているか否かを判定し、閾値を超えている場合に、複数の照明機器１００の接続状況が正常であると判定する。一方、調光装置２０は、検出電圧の基準値に対する割合が閾値以下である場合、複数の照明機器１００の接続に異常があると判定する。
【００５６】
複数の照明機器１００の接続状況が正常であると判定した場合（ステップＳ１０５，Ｙｅｓ）、調光装置２０は、ステップＳ１０４の比較結果を表示部２６等に出力し（ステップＳ１０６）、状況確認処理を終了する。状況確認処理を終了すると、調光装置２０は、状況確認モードから通常の調光モードへ移行する。
【００５７】
一方、複数の照明機器１００の接続状況に異常があると判定した場合（ステップＳ１０５，Ｎｏ）、調光装置２０は、アラーム信号を出力し（ステップＳ１０７）、比較結果を出力して（ステップＳ１０８）、状況確認処理を終了する。状況確認処理を終了すると、調光装置２０は、状況確認モードから通常の調光モードへ移行する。
【００５８】
上述してきたように、実施形態に係る調光装置２０では、検出部２５が、配線３０に流れる電流を検出し、比較部２３１が、検出部２５によって検出された電流に基づく検出値を基準値と比較し、出力部２３３が、比較部２３１による比較結果を出力することとした。これにより、操作者は、比較結果を確認することで、複数の照明機器１００の接続状況、すなわち、どの程度の割合の照明機器１００が配線３０に対して正常に接続されているかを容易に把握することができる。したがって、実施形態に係る調光装置２０によれば、複数の照明機器の接続状況の確認を容易化することができる。
【００５９】
＜変形例＞
上述した実施形態では、比較部２３１における比較対象が「電圧値」である場合の例について説明したが、比較部２３１における比較対象は、必ずしも「電圧値」であることを要さず、たとえば「電流値」等であってもよい。比較対象が「電流値」である場合、検出部２５は、配線３０を流れる電流の値を出力すればよく、記憶部２４は、１個あたりの消費電流に対して照明機器１００の個数を乗じた値を基準値として記憶すればよい。
【００６０】
その他、比較部２３１における比較対象は「電力値」であってもよい。このように、比較部２３１は、検出部２５によって検出された電流に基づく検出値を基準値と比較する構成であればよい。
【００６１】
また、上述した実施形態では、状況確認処理において、複数の照明機器１００を全光状態とすることとしたが、調光装置２０は、必ずしも複数の照明機器１００を全光状態とすることを要しない。すなわち、調光装置２０は、状況確認処理において、予め決められた電圧値の直流電流を配線３０に印加すればよく、必ずしも、複数の照明機器１００を１００％の調光度で点灯させるのに必要な電圧値の直流電流を配線３０に印加することを要しない。
【００６２】
また、上述した実施形態では、比較部２３１の比較結果を表示部２６等に出力することとしたが、出力部２３３は、比較結果に加えて、たとえば、配線３０に正常に接続されている照明機器１００の個数の情報を出力してもよい。配線３０に正常に接続されている照明機器１００の個数は、たとえば、比較部２３１の比較結果（すなわち、検出電圧の基準値に対する割合）に対し、記憶部２４に記憶されている複数の照明機器１００の個数（すなわち、照明機器１００の設置予定個数）を乗じることにより得ることができる。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１  照明システム
１０  照明制御装置
１１  通信部
１２  表示部
１３  制御部
１４  操作部
２０  調光装置
２１  変換部
２２  印加部
２３  制御部
２４  記憶部
２５  検出部
２６  表示部
３０  配線
１００，１００ａ〜１００ｃ  照明機器
１０１  受電部
１０２  測定部
１０３  制御部
１０４  光源部
２３１  比較部
２３２  判定部
２３３  出力部
【図１】
2020053350.tif 000003
【図２】
2020053350.tif 000004
【図３】
2020053350.tif 000005
【図４】
2020053350.tif 000006